(57)【要約】【課題】貨幣入出金装置から出金される紙幣の数え間違いが発生するのを防止する。【解決手段】本実施形態の情報処理装置は、設定された出金残額が所定の金額以上であるか否かを判定する判定手段と、前記設定された出金残額が前記判定手段により所定の金額以上であると判定された場合に、所定の金額を出金額として設定して前記貨幣入出金装置に貨幣を出金させ、今回の出金残額から前記出金による所定の金額を差し引いた額を次回の出金残額として設定して、前記判定手段に次回の判定を行わせる一方、設定された出金残額が前記判定手段により前記所定の金額未満であると判定された場合に、当該設定された出金残額を出金額として設定して前記貨幣入出金装置に貨幣を出金させる制御手段と、を有する。【選択図】図４
2012243028.tif 000002
【特許請求の範囲】
【請求項１】
情報処理装置と、
貨幣を入金するとともに、前記情報処理装置からのコマンドで設定される出金額に相当する貨幣の出金を行う貨幣入出金装置と、
を備え、
前記情報処理装置は、
設定された出金残額が所定の金額以上であるか否かを判定する判定手段と、
前記設定された出金残額が前記判定手段により所定の金額以上であると判定された場合に、所定の金額を出金額として設定して前記貨幣入出金装置に貨幣を出金させ、今回の出金残額から前記出金による所定の金額を差し引いた額を次回の出金残額として設定して、前記判定手段に次回の判定を行わせる一方、設定された出金残額が前記判定手段により前記所定の金額未満であると判定された場合に、当該設定された出金残額を出金額として設定して前記貨幣入出金装置に貨幣を出金させる制御手段と、
を有する入出金システム。
【請求項２】
前記制御手段は、前記貨幣入出金装置から所定の金額分の貨幣を出金させる場合、所定の金種の紙幣を所定枚数出金させる、請求項１に記載の入出金システム。
【請求項３】
設定された出金残額が所定の金額以上であるか否かを判定する判定手段と、
前記設定された出金残額が前記判定手段により所定の金額以上であると判定された場合に、所定の金額を出金額として設定して前記貨幣入出金装置に貨幣を出金させ、今回の出金残額から前記出金による所定の金額を差し引いた額を次回の出金残額として設定して、前記判定手段に次回の判定を行わせる一方、設定された出金残額が前記判定手段により前記所定の金額未満であると判定された場合に、当該設定された出金残額を出金額として設定して前記貨幣入出金装置に貨幣を出金させる制御手段と、
を有する情報処理装置。
【請求項４】
前記制御手段は、前記貨幣入出金装置から所定の金額分の貨幣を出金させる場合、所定の金種の紙幣を所定枚数出金させる、請求項３に記載の情報処理装置。
【請求項５】
コンピュータを、
設定された出金残額が所定の金額以上であるか否かを判定する判定手段と、
前記設定された出金残額が前記判定手段により所定の金額以上であると判定された場合に、所定の金額を出金額として設定して前記貨幣入出金装置に貨幣を出金させ、今回の出金残額から前記出金による所定の金額を差し引いた額を次回の出金残額として設定して、前記判定手段に次回の判定を行わせる一方、設定された出金残額が前記判定手段により前記所定の金額未満であると判定された場合に、当該設定された出金残額を出金額として設定して前記貨幣入出金装置に貨幣を出金させる制御手段と、
して機能させるプログラム。
【請求項６】
前記制御手段は、前記貨幣入出金装置から所定の金額分の貨幣を出金させる場合、所定の金種の紙幣を所定枚数出金させる、請求項５に記載のプログラム。
【発明の詳細な説明】
【技術分野】
【０００１】
本発明の実施形態は、入出金システム、情報処理装置およびプログラムに関する。
【背景技術】
【０００２】
従来、入金された貨幣を収納するとともに、ＰＯＳ端末からの命令（出金コマンド）に基づいて貨幣（釣銭）を自動的に出金する自動釣銭機（特許文献１参照）が知られている。
【発明の概要】
【発明が解決しようとする課題】
【０００３】
しかしながら、従来の自動釣銭機では、客に渡す釣銭である貨幣を出金する場合や、高額商品の返品により客に返金する貨幣を出金する場合、キャッシャにとって数え難い枚数で紙幣が出金されており、自動釣銭機から出金される紙幣の枚数を確認するキャッシャの負担が大きく、キャッシャによる紙幣の数え間違い（違算）が発生するなどの課題があった。
【課題を解決するための手段】
【０００４】
本実施形態の情報処理装置は、設定された出金残額が所定の金額以上であるか否かを判定する判定手段と、前記設定された出金残額が前記判定手段により所定の金額以上であると判定された場合に、所定の金額を出金額として設定して前記貨幣入出金装置に貨幣を出金させ、今回の出金残額から前記出金による所定の金額を差し引いた額を次回の出金残額として設定して、前記判定手段に次回の判定を行わせる一方、設定された出金残額が前記判定手段により前記所定の金額未満であると判定された場合に、当該設定された出金残額を出金額として設定して前記貨幣入出金装置に貨幣を出金させる制御手段と、を有する。
【図面の簡単な説明】
【０００５】
【図１】図１は、実施形態に係る入出金システムを示す外観斜視図である。
【図２】図２は、ＰＯＳ端末の制御系のハードウェア構成を示すブロック図である。
【図３】図３は、自動釣銭機の構成を示すブロック図である。
【図４】図４は、ＰＯＳ端末の機能的構成を示すブロック図である。
【図５】図５は、自動釣銭機の機能的構成を示すブロック図である。
【図６】図６は、返品により客に貨幣を返金する場合のＰＯＳ端末の処理動作の流れを示すフローチャートである。
【図７】図７は、ＰＯＳ端末から出金コマンドを受信した場合の自動釣銭機の出金処理動作の流れを示すフローチャートである。
【発明を実施するための形態】
【０００６】
図１は、実施形態に係る入出金システム１を示す外観斜視図である。
【０００７】
図１に示すように、入出金システム１は、商品販売データ処理装置であるＰＯＳ（Ｐｏｉｎｔ  Ｏｆ  Ｓａｌｅｓ  Ｓｙｓｔｅｍ）端末２と、このＰＯＳ端末２に通信ケーブル（図示せず）を介して接続される自動釣銭機３とを備えている。
【０００８】
ＰＯＳ端末２は、商品を販売する店舗の会計場所などに設置され、客が購入する商品の登録および決済を行う情報処理装置であり、本実施形態のＰＯＳ端末２は、店員が操作する各種機能キーを有するキーボード２１と、各種情報を表示する店員用の表示器２２と、各種情報を表示する客用の表示器２３と、商品に付されたコードを読み取るスキャナ２４と、レシートやジャーナルなどを印字発行するプリンタ２５と、店員用の表示器２２に積層されるタッチパネル２６などを備えている。
【０００９】
自動釣銭機３は、入金された貨幣を収納するとともに、ＰＯＳ端末２からの命令（出金コマンド）で設定された出金額に相当する貨幣の出金を行う貨幣入出金装置であり、本実施形態の自動釣銭機３は、入金された硬貨を収納するとともに、ＰＯＳ端末２からの命令に基づいて硬貨を自動的に出金する硬貨入出金部３１と、入金された紙幣を収納するとともに、ＰＯＳ端末２からの命令に基づいて紙幣を自動的に出金する紙幣入出金部３２とを備えている。
【００１０】
図２は、ＰＯＳ端末２の制御系のハードウェア構成を示すブロック図である。
【００１１】
図２に示すように、このＰＯＳ端末２は、パーソナルコンピュータなどの一般的なコンピュータを利用したハードウェア構成となっており、例えば、制御部２０と、通信Ｉ／Ｆ２７と、Ｉ／Ｏ機器制御部２８とがバスＢ１によって接続されて構成されている。
【００１２】
なお、制御部２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有して構成されている。
【００１３】
また、制御部２０には、バスＢ１およびＩ／Ｏ機器制御部２８を介して、キーボード２１、店員用の表示器２２、客用の表示器２３、スキャナ２４、プリンタ２５、タッチパネル２６、ハードディスク装置（ＨＤＤ：Ｈａｒｄ  Ｄｉｓｋ  Ｄｒｉｖｅ）２９、自動釣銭機３などが接続されている。
【００１４】
即ち、制御部２０は、ＣＰＵがＲＯＭやＨＤＤなどに格納される制御プログラムをＲＡＭに展開して実行することにより、Ｉ／Ｏ機器制御部２８を介して接続される各種機器の動作を制御するとともに、通信Ｉ／Ｆ２７およびネットワーク（不図示）を介して接続されるストアサーバ（不図示）との間で各種データを送受信する動作を制御するものである。
【００１５】
図３は、自動釣銭機３の構成を示すブロック図である。
【００１６】
図３に示すように、自動釣銭機３は、硬貨入出金部３１と、紙幣入出金部３２と、制御部３３と、記憶部３４と、通信Ｉ／Ｆ３５とを備えている。
【００１７】
硬貨入出金部３１は、硬貨入金口３１ａと、硬貨選別機構３１ｂと、硬貨収納部３１ｃと、硬貨出金機構３１ｄと、硬貨出金口３１ｅと、硬貨入金センサ３１ｆと、硬貨収納センサ３１ｇと、硬貨出金センサ３１ｈとを備えている。
【００１８】
ここで、硬貨入金口３１ａは、硬貨を受け入れる口である。硬貨選別機構３１ｂは、硬貨入金口３１ａが受け入れた硬貨を金種別に選別するものである。硬貨収納部３１ｃは、硬貨選別機構３１ｂが選別した硬貨を金種別に収納するものである。硬貨出金機構３１ｄは、硬貨収納部３１ｃに収納された硬貨を金種別に一枚ずつ出金するものである。硬貨出金口３１ｅは、硬貨収納部３１ｃから出金された硬貨を受ける口である。硬貨入金センサ３１ｆは、硬貨入金口３１ａに硬貨が入金されたことを検出するものである。硬貨収納センサ３１ｇは、硬貨収納部３１ｃに収納される硬貨を金種別に一枚ずつ検出するものである。硬貨出金センサ３１ｈは、硬貨収納部３１ｃから出金される硬貨を金種別に一枚ずつ検出するものである。
【００１９】
なお、硬貨入金口３１ａおよび硬貨出金口３１ｅは、図１に示すように、自動釣銭機３の筐体の前部（正面部）に設けられている。
【００２０】
また、紙幣入出金部３２は、紙幣入金口３２ａと、紙幣選別機構３２ｂと、紙幣収納部３２ｃ、紙幣出金機構３２ｄと、紙幣出金口３２ｅと、紙幣入金センサ３２ｆ、紙幣収納センサ３２ｇ、紙幣出金センサ３２ｈとを備えている。
【００２１】
紙幣入金口３２ａは、紙幣を受け入れる口である。紙幣選別機構３２ｂは、紙幣入金口３２ａが受け入れた紙幣を金種別に選別するものである。紙幣収納部３２ｃは、紙幣選別機構３２ｂが選別した紙幣を金種別に収納するものである。紙幣出金機構３２ｄは、紙幣収納部３２ｃに収納された紙幣を金種別に一枚ずつ出金するものである。紙幣出金口３２ｅは、紙幣収納部３２ｃから出金された紙幣を受けるものである。紙幣入金センサ３２ｆは、紙幣入金口３２ａに紙幣が入金されたことを検出するものである。紙幣収納センサ３２ｇは、紙幣収納部３２ｃに収納される紙幣を金種別に一枚ずつ検出するものである。紙幣出金センサ３２ｈは、紙幣収納部３２ｃから出金される硬貨を金種別に一枚ずつ検出するものである。
【００２２】
なお、紙幣入金口３２ａおよび紙幣出金口３２ｅは、図１に示すように、自動釣銭機３の筐体の前部（正面部）に設けられている。
【００２３】
制御部３３は、ＣＰＵ、ＲＯＭ、ＲＡＭなどを備えている。
【００２４】
この制御部３３には、前記した硬貨選別機構３１ｂ、硬貨出金機構３１ｄ、硬貨入金センサ３１ｆ、硬貨収納センサ３１ｇ、硬貨出金センサ３１ｈ、紙幣選別機構３２ｂ、紙幣出金機構３２ｄ、紙幣入金センサ３２ｆ、紙幣収納センサ３２ｇおよび紙幣出金センサ３２ｈが接続されるとともに、各種データを書き換え可能に記憶する不揮発性の記憶部３４や、ＰＯＳ端末２とデータ通信を行う通信Ｉ／Ｆ３５が接続されている。
【００２５】
記憶部３４は、自動釣銭機３が収納している貨幣の在高に関する在高情報を書き換え可能に記憶する。貨幣の在高情報は、本実施形態では、硬貨収納部３１ｃおよび紙幣収納部３２ｃ内の金種毎の貨幣収納枚数である。
【００２６】
なお、制御部３３は、硬貨入金センサ３１ｆ、硬貨収納センサ３１ｇ、硬貨出金センサ３１ｈ、紙幣入金センサ３２ｆ、紙幣収納センサ３２ｇおよび紙幣出金センサ３２ｈの検出結果を用いて、記憶部３４に記憶されている在高情報を更新する。
【００２７】
図４は、ＰＯＳ端末３の機能的構成を示すブロック図である。
【００２８】
図４に示すように、ＰＯＳ端末２の制御部２０は、ＣＰＵがＲＯＭなどに格納される所定の制御プログラムをＲＡＭに展開して実行することにより、後述の図６に示す処理手順を実行する、返品処理部２００として機能する。
【００２９】
返品処理部２００は、返金額入力部２１０と、紙幣分割出金制御部２２０と、ウェイト処理部２３０と、ファイナライズ処理部２４０とを有し、返品された商品に対応する貨幣を客に返金するための返品処理を実行するものである。
【００３０】
ここで、返金額入力部２１０は、客に返金する貨幣の金額（返金額）を入力するものである。
【００３１】
紙幣分割出金制御部２２０は、出金額管理部２２０ａと、出金コマンド送信部２２０ｂとを有し、設定された出金残額が所定の金額以上であるか否かを判定する判定手段と、
設定された出金残額が前記判定手段により所定の金額以上であると判定された場合に、所定の金額を出金額として設定して自動釣銭機（貨幣入出金装置）３に貨幣を出金させ、今回の出金残額から前記出金による所定の金額を差し引いた額を次回の出金残額として設定して、前記判定手段に次回の判定を行わせる一方、設定された出金残額が前記判定手段により所定の金額未満であると判定された場合に、当該設定された出金残額を出金額として設定して自動釣銭機３に出金させる制御手段と、して機能するものである。
【００３２】
なお、ここでいう所定の金額は、登録モード、設定モード、点検モードなどの各業務モードを設定するモードスイッチ（不図示）の切り替えにより設定モードに切り替えられた際などに設定される。そして、紙幣分割出金制御部２２０は、設定された所定の金額（例えば、１０万円）を示す値を記憶する。
【００３３】
なお、出金額管理部２２０ａは、自動釣銭機３から出金する貨幣の金額を管理するものであり、自動釣銭機３から出金する貨幣の出金残額が所定の金額（１０万円）以上であるか否かの判定を行うものである。また、出金コマンド送信部２２０ｂは、出金額管理部２２０ａの判定の結果に応じた出金コマンド（出金額を指定する情報を含む）を自動釣銭機３に送信するものである。
【００３４】
ウェイト処理部２３０は、自動釣銭機３の状態を監視し、キャッシャが紙幣出金口３２ｅから一部外部に露出する形態で出金された紙幣の抜取り操作が行われるのをウェイトする処理を行うものである。
【００３５】
ファイナライズ処理部２４０は、レポート印字処理や、ポイントアフェクト処理などを行うものである。
【００３６】
図５は、自動釣銭機３の機能的構成を示すブロック図である。
【００３７】
図５に示すように、自動釣銭機３の制御部３３は、ＣＰＵがＲＯＭなどに格納される所定の制御プログラムをＲＡＭに展開して実行することにより、後述の図７に示す処理手順を実行する、出金処理部３００として機能する。
【００３８】
出金処理部３００は、出金コマンド受信部３１０と、出金実行部３２０とを備えている。
【００３９】
出金コマンド受信部３１０は、ＰＯＳ端末２から送られてくる出金コマンドを受信するものである。
【００４０】
出金実行部３２０は、出金コマンド受信部３１０が受信した出金コマンドで設定された出金額に相当する貨幣を出金する。
【００４１】
次に、前記説明した構成のＰＯＳ端末２における処理動作の詳細について図６を用いて説明する。
【００４２】
図６は、返品により客に貨幣を返金する場合のＰＯＳ端末２の処理動作の流れを示すフローチャートである。
【００４３】
図６において、まず、キャッシャによって、キーボード２１に含まれる所定のキー（返品キー）の選択押下操作が行われ、返金額の入力操作（返金額を入力するためのレシートのスキャン操作や、返金額を入力するための置数キーの押下操作など）が行われ、所定のキー（確定キー）の選択押下操作が行われると、ＰＯＳ端末２では、返金額入力部２１０が、返金額（客に返金する貨幣の金額）を入力する（ステップＳ１１）。
【００４４】
続いて、ＰＯＳ端末２では、紙幣分割出金制御部２２０の出金額管理部２２０ａが、自動釣銭機３から出金する貨幣の出金残額（即ち、初回は、返金額が出金残額に設定される）が所定の金額（例えば、１０万円）以上であるか否かを判定する（ステップＳ１２）。
【００４５】
この判定の結果、所定の金額（１０万円）以上であると判定された場合には（ステップＳ１２：Ｙｅｓ）、続いて、所定の金額（１０万円）の出金を命令する出金コマンドを自動釣銭機３に送信する。この時、出金額管理部２２０ａが、出金残額の更新処理を行う（ステップＳ１３）。具体的には、出金管理部２２０ａは、今回の出金残額から所定の金額を差し引いた額を次回の出金残額として設定する。
【００４６】
その後、ＰＯＳ端末２では、出金額管理部２２０ａが、出金残額があるか否かを判定し（ステップＳ１４）、出金残額があると判定された場合（ステップＳ１４：Ｙｅｓ）、続いて、ウェイト処理部２３０が所定のウェイト処理（即ち、キャッシャによる紙幣の抜取り待ちを示す情報を店員用の表示器２２に表示する処理など）を実行し（ステップＳ１５）、その後、返品処理部２００は、処理をステップＳ１２に戻す。
【００４７】
一方、ステップＳ１２の判定の結果、自動釣銭機３から出金する貨幣の出金残額が所定の金額（例えば、１０万円）未満であると判定された場合には（ステップＳ１２：Ｎｏ）、所定の金額（例えば、１０万円）未満の出金残額に相当する貨幣の出金を命令する出金コマンドを自動釣銭機３に送信する。この時、出金額管理部２２０ａが、出金残額の更新処理を行う（ステップＳ１６）。
【００４８】
その後、ＰＯＳ端末２では、ファイナライズ処理部２４０が、所定のファイナライズ処理（レシート印字やポイントアフェクト処理など）を行い（ステップＳ１７）、その後、ステップＳ１５と同様のウェイト処理を実行し（ステップＳ１８）、その後、返品処理部２００が、ここでの処理を終了する。
【００４９】
なお、ステップＳ１４の判定の結果、出金額管理部２２０ａが、出金残額がないと判定した場合には（ステップＳ１４：Ｎｏ）、返品処理部２００は、処理をステップＳ１７に移行させる。
【００５０】
なお、ここで、前記した図６の処理手順における具体的な処理の一例について説明する。
【００５１】
例えば、返金額が「１９万９９９９円」であり、所定の金額が「１０万円」である場合について説明する。
【００５２】
この場合、ステップＳ１１において、返金額入力部２１０が、返金額として「１９万９９９９円」を入力する。続いて、最初のステップＳ１２において、出金額管理部２２０ａにより、出金残額が所定の金額（１０万円）以上であると判定され（ステップＳ１２：Ｙｅｓ）、続いて、ステップＳ１３において、出金コマンド送信部２２０ｂが、所定の金額（１０万円）の出金を命令する出金コマンドを自動釣銭機３に送信するとともに、出金額管理部２２０ａが、出金残額の更新処理を行う、即ち、この場合、出金額管理部２２０ａは、返金額「１９万９９９９円」から所定の金額「１０万円」を差し引いて出金残額を「９万９９９９円」とする。
【００５３】
その後、ステップＳ１４において、出金額管理部２２０ａが、出金残額があると判定し（ステップＳ１４：Ｙｅｓ）、続いて、ステップＳ１５において、ウェイト処理部２３０が、所定のウェイト処理を実行し、返品処理部２００は、処理をステップＳ１２に戻す。このとき、２回目のステップＳ１２においては、出金額管理部２２０ａは、出金残額が所定の金額（１０万円）未満であると判定し（ステップＳ１２：Ｎｏ）、続いて、ステップＳ１６において、出金コマンド送信部２２０ｂが、所定の金額（１０万円）未満の出金残額に相当する貨幣の出金を命令する出金コマンドを自動釣銭機３に送信するとともに、出金額管理部２２０ａが、出金残額を０円にする。
【００５４】
続いて、ステップＳ１７において、ファイナライズ処理部２４０が、所定のファイナライズ処理を実行し、その後、ステップＳ１８において、ウェイト処理部２３０が、所定のウェイト処理を実行し、その後、返品処理部２００が、ここでの処理を終了する。
【００５５】
次に、前記説明した構成の自動釣銭機３における処理動作の詳細について図７を用いて説明する。
【００５６】
図７は、ＰＯＳ端末２から出金コマンドを受信した場合の自動釣銭機３の出金処理動作の流れを示すフローチャートである。
【００５７】
図７に示すように、自動釣銭機３では、出金処理部３００の出金コマンド受信部３１０がＰＯＳ端末２から出金コマンドを受信すると（ステップＳ２１：Ｙｅｓ）、出金実行部３２０が出金処理を実行する（ステップＳ２２）。
【００５８】
より具体的には、ステップＳ２２の出金処理では、出金実行部３２０は、出金コマンドで設定された出金額に応じて、硬貨出金機構３１ｄおよび紙幣出金機構３２ｄを駆動して、硬貨出金機構３１ｄおよび紙幣出金機構３２ｄに貨幣を出金させる。この際、自動釣銭機３のＣＰＵは、硬貨出金センサ３１ｈや紙幣出金センサ３２ｈの検出結果を計数し、出金コマンドで設定された出金額に相当する貨幣を出金するまで硬貨出金機構３１ｄおよび紙幣出金機構３２ｄの駆動を続け、出金コマンドで設定された出金額に相当する貨幣を出金したと判断した場合、硬貨出金機構３１ｄおよび紙幣出金機構３２ｄの駆動を停止する。
【００５９】
なお、ここで、前記した図７の処理手順における具体的な処理の一例について説明する。
【００６０】
例えば、自動釣銭機３に金種「１万円」の紙幣が２０枚以上収納されていて、ステップＳ２１において、出金コマンド受信部３１０が、出金額「１０万円」を示す情報を含む出金コマンドを受信した場合、続く、ステップＳ２２において、出金実行部３２０が、出金コマンドに含まれる情報に基づいて、紙幣出金機構３２ｄを駆動して、紙幣出金機構３２ｄに１万円札を１０枚出金させる。
【００６１】
即ち、本実施形態の自動釣銭機３では、出金コマンドで設定された出金額に応じて、貨幣の出金枚数が最も少なくなる金種の組み合わせにより貨幣を出金させる。
【００６２】
また、例えば、自動釣銭機３に金種「１万円」の紙幣が１０枚以上収納され、金種「５千円札」の紙幣が１枚も収容されておらず、金種「１千円」の紙幣が１０枚以上収納されていて、ステップＳ２１において、出金コマンド受信部３１０が、出金額「９万９０００円」を示す情報を含む出金コマンドを受信した場合、続く、ステップＳ２２において、出金実行部３２０が、出金コマンドに含まれる情報に基づいて、硬貨出金機構３１ｄおよび紙幣出金機構３２ｄを駆動して、硬貨出金機構３１ｄおよび紙幣出金機構３２ｄに、１万円札を９枚と、１千円札を９枚とを、出金させる。
【００６３】
即ち、以上説明した実施形態によれば、自動釣銭機３から出金される紙幣の枚数を確認するキャッシャの負担を軽減または省略でき、それにより、キャッシャによる貨幣の数え間違い（違算）が発生するのを抑制または防止できる。
【００６４】
また、従来の自動釣銭機では、１回の出金処理で出金する上限金額が、例えば、９万９９９９円と固定に設定されているため、前記上限金額を超える高額商品（例えば、１９万９９９９円）の返品作業時には、自動釣銭機に備え付けられているドロワを手動で開いて客に返金する貨幣（即ち、高額商品に対応する貨幣（例えば、１９万９９９９円））を取り出す必要があり、返金時のキャッシャの手間があったが、これに対して本実施形態によれば、自動釣銭機に返金する分の貨幣が収納されていさえすれば、自動釣銭機から客に返金する貨幣が全て出金されるため、ドロワを手動で開く作業を省略でき、返金時のキャッシャの手間を軽減することが可能である。
【００６５】
本実施形態のＰＯＳ端末２および自動釣銭機３で実行されるプログラムは、ＲＯＭなどの記憶部に予め組み込んで提供する以外にも、インストール可能な形式または実行可能な形式のファイルでコンピュータで読み取り可能な記憶媒体に記憶して提供したり、インターネットなどのネットワーク経由で提供または配布したりすることも可能である。
【００６６】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１  入出金システム
２  ＰＯＳ端末（情報処理装置）
３  自動釣銭機（貨幣入出金装置）
２０  制御部（制御手段）
２００  返品処理部
２１０  返金額入力部
２２０  紙幣分割出金制御部（制御手段、判定手段）
２２０ａ  出金額管理部
２２０ｂ  出金コマンド送信部
２３０  ウェイト処理部
２４０  ファイナライズ処理部
３３  制御部
３００  出金処理部
３１０  出金コマンド受信部
３２０  出金実行部
【先行技術文献】
【特許文献】
【００６８】
【特許文献１】特開２００８−２９３２５０号公報
【図１】
2012243028.tif 000003
【図２】
2012243028.tif 000004
【図３】
2012243028.tif 000005
【図４】
2012243028.tif 000006
【図５】
2012243028.tif 000007
【図６】
2012243028.tif 000008
【図７】
2012243028.tif 000009